(57)【要約】【課題】タンスの抽斗内、下駄箱内等で使用する乾燥剤カートリッジを、除湿機によって再生(乾燥)させる。【解決手段】吸気口と排気口12を開口したハウジング11内に除湿手段２を具え、排気口12から乾燥空気を排出する除湿機１において、排気口12の近傍及び／又は排気通路15内に、前記除湿手段２とは別個に複数の乾燥剤カートリッジ５を着脱可能にセットして構成され、乾燥剤カートリッジ５は、通気性のケース51内に乾燥剤50を充填して形成されており、乾燥剤カートリッジ５の乾燥剤50を、通過する乾燥空気によって乾燥させて再生できる。【選択図】図２
2009119312.tif 000002
【特許請求の範囲】
【請求項１】
吸気口と排気口(12)を開口したハウジング(11)内に除湿手段(２)を具え、排気口(12)から乾燥空気を排出する除湿機(１)において、排気口(12)の近傍及び／又は排気通路(15)内に、再生用の複数の乾燥剤カートリッジ(５)を着脱可能にセットして構成され、乾燥剤カートリッジ(５)は、通気性のケース(51)内に乾燥剤(50)を充填して形成されており、乾燥剤カートリッジ(５)の乾燥剤(50)を、通過する乾燥空気によって乾燥させて再生できる、除湿機。
【請求項２】
除湿手段(２)は、ファン(21)、吸湿性を有するロータ(22)、該ロータ(22)を加熱するヒータ(23)、水分を含んだ空気を凝縮して水滴に変える凝縮器(24)を備えたデシカント式除湿装置である、請求項１に記載の除湿機。
【請求項３】
排気口(12)にはルーバ(４)が揺動可能に配備され、該ルーバ(４)に、少なくとも１個の乾燥剤カートリッジ(５)が着脱可能に取り付けられている、請求項１又は２に記載の除湿機。
【請求項４】
ルーバ(４)は横長の枠体に形成され、該ルーバ(４)の長手方向に沿う２つの枠板(41)(42)の間に、少なくとも１個の乾燥剤カートリッジ(５)の収容が可能な、請求項３に記載の除湿機。
【請求項５】
乾燥剤カートリッジ(５)のケース(51)とルーバ(４)には、少なくとも１個の乾燥剤カートリッジ(５)をルーバ(４)に軟係止する軟係止手段(40)が形成されている、請求項３又は４に記載の除湿機。
【請求項６】
ハウジング(11)の上端部に排気口(12)に隣接してハンドル(３)が設けられ、保持手段(55)によって少なくとも１個の乾燥剤カートリッジ(５)がハンドル(３)上に着脱可能に保持される、請求項１乃至５の何れかに記載の除湿機。
【請求項７】
保持手段(55)は、ハンドル(３)と乾燥剤カートリッジ(５)のケース(51)の何れか一方に設けられた嵌込み凹部(33)と、他方に設けられ該嵌込み凹部(33)に着脱可能に嵌合する凸部(53)とによって構成される、請求項６に記載の除湿機。
【請求項８】
ハンドル(３)は起伏可能にハウジング(11)に取り付けられ、起立姿勢のハンドル(３)に少なくとも１個の乾燥剤カートリッジ(５)を取り付けた状態で、乾燥剤カートリッジ(５)は排気口(12)からの吹出し乾燥空気が直接に当たる位置に保持される、請求項６又は７に記載の除湿機。
【請求項９】
少なくとも２つの乾燥剤カートリッジ(５)(５)のケース(51)(51)は、互いの乾燥剤カートリッジのケースと連結可能な連結手段(７)を有している、請求項１乃至８の何れかに記載の除湿機。
【請求項１０】
少なくとも１個の乾燥剤カートリッジ(５)のケース(51)は横長に形成され、長さ方向の中央部にフック(６)が突設されて洋服ハンガーを兼用できる、請求項１乃至９の何れかに記載の除湿機。
【請求項１１】
少なくとも１個の乾燥剤カートリッジ(５)のケース(51)は、靴に似せた外観を呈して靴の中に収まる大きさに形成されている、請求項１乃至９の何れかに記載の除湿機。
【請求項１２】
少なくとも１個のカートリッジケース(５)の両端にハンガー長さを補う補助部材(57)(57)が折畳み可能に突設されている、請求項１０記載の除湿機。
【請求項１３】
少なくとも１個の乾燥剤カートリッジ(５)のケース(51)は、吊下げ及び／又は連結用のフック(６)が折畳み可能に設けられている、請求項１乃至１２の何れかに記載の除湿機。
【発明の詳細な説明】
【技術分野】
【０００１】
本願発明は、タンスの抽斗内部等の小空間の湿気を取り除く乾燥剤カートリッジの再生(乾燥)機能を付与した、主として室内使用の除湿機に関するものである。
【背景技術】
【０００２】
シリカゲル等の乾燥剤を通気性袋や通気性ケースに充填した乾燥剤パックをタンスの抽斗内部、下駄箱内部、靴内部等の小空間に入れて除湿することが一般に行われている。該乾燥剤パックは、天日に干したり、電子レンジ等により加熱するなどにより再生して、繰り返し使用できる。(例えば、特許文献1参照)。
他方、室内用の除湿機として、デシカント式除湿機等、室内空気を取り入れて乾燥空気として排出する除湿機が実用されている(例えば、特許文献２参照)。
【０００３】
【特許文献１】実開平５−４９０２６号公報
【特許文献２】特開２００７−９８２６２号広報
【発明の開示】
【発明が解決しようとする課題】
【０００４】
上記除湿機から排出される乾燥空気を前記乾燥剤パックに直接当てると、湿気を含んだ乾燥剤を短時間で再生(乾燥)できる。
ところが、従来の除湿機には、乾燥剤パックを除湿機の排出口に簡単にセットできる工夫がなかった。
【０００５】
そこで出願人は、上記乾燥剤パックをカートリッジ化して、上記除湿機に簡単にセットできる構成を提案した(特願２００７−５３６７３号)。ところが、この場合、上記乾燥剤カートリッジを１箇所にセットできるだけであり、複数の乾燥剤カートリッジを再生するには、能率が悪い問題があった。
本発明は、上記問題を解決できる、除湿機を明らかにするものである。
【課題を解決するための手段】
【０００６】
請求項１は、吸気口と排気口(12)を開口したハウジング(11)内に除湿手段(２)を具え、排気口(12)から乾燥空気を排出する除湿機(１)において、排気口(12)の近傍及び／又は排気通路(15)内に、再生用の複数の乾燥剤カートリッジ(５)(５)を着脱可能にセットして構成され、乾燥剤カートリッジ(５)は、通気性のケース(51)内に乾燥剤(50)を充填して形成されている。
【０００７】
請求項２は請求項１の除湿機において、除湿手段(２)は、ファン(21)、吸湿性を有するロータ(22)、該ロータ(22)を加熱するヒータ(23)、水分を含んだ空気を凝縮して水滴に変える凝縮器(24)を備えたデシカント式除湿装置である。
【０００８】
請求項３は請求項１又は２の除湿機において、排気口(12)にはルーバ(４)が揺動可能に配備され、該ルーバ(４)に少なくとも１個の乾燥剤カートリッジ(５)が着脱可能に取り付けられている。
【０００９】
請求項４は請求項３に記載の除湿機において、ルーバ(４)は横長の枠体に形成され、該ルーバ(４)の長手方向に沿う２つの枠板(41)(42)の間に、少なくとも１個の乾燥剤カートリッジ(５)を挟み込んで保持可能である。
【００１０】
請求項５は請求項３又は４の除湿機において、少なくとも１個の乾燥剤カートリッジ(５)のケース(51)とルーバ(４)には、該乾燥剤カートリッジ(５)をルーバ(４)に軟係止する軟係止手段(40)が形成されている。
【００１１】
請求項６は請求項１乃至５に記載の除湿機において、ハウジング(11)の上端部に排気口(12)に隣接してハンドル(３)が設けられ、保持手段(55)によって少なくとも１個の乾燥剤カートリッジ(５)がハンドル(３)上に着脱可能に保持される。
【００１２】
請求項７は請求項６に記載の除湿機において、保持手段(55)は、ハンドル(３)と乾燥剤カートリッジ(５)のケース(51)の何れか一方に設けられた嵌込み凹部(33)と、他方に設けられ該嵌込み凹部(33)に着脱可能に嵌合する凸部(53)とによって構成される。
【００１３】
請求項８は請求項６又は７に記載の除湿機において、ハンドル(３)は起伏可能にハウジング(11)に取り付けられ、起立姿勢のハンドル(３)に、少なくとも１個の乾燥剤カートリッジ(５)を取り付けた状態で、乾燥剤カートリッジ(５)は排気口(12)からの吹出し乾燥空気が直接に当たる位置に保持される。
【００１４】
請求項９は請求項１乃至８の何れかに記載の除湿機において、少なくとも２つの乾燥剤カートリッジ(５)(５)のケース(51)(51)は、互いに連結可能な連結手段(７)を有している。
【００１５】
請求項１０は請求項１乃至９の除湿機において、少なくとも１個の乾燥剤カートリッジ(５)のケース(51)は横長に形成され、長さ方向の中央部にフック(６)が突設されて洋服ハンガーを兼用できる。
【００１６】
請求項１１は請求項１乃至９の何れかに記載の除湿機において、少なくとも１個の乾燥剤カートリッジ(５)のケース(51)は、靴に似せた外観を呈して靴の中に収まる大きさに形成されている。
【００１７】
請求項１２は請求項１０に記載の除湿機において、少なくとも１個のカートリッジケース(５)の両端にハンガー長さを補う補助部材(57)(57)が折畳み可能に突設されている。
【００１８】
請求項１３は請求項１乃至１２の何れかに記載の除湿機において、乾燥剤カートリッジ(５)のケース(51)は、吊下げ及び／又は連結用のフック(６)が折畳み可能に設けられている。
【発明の効果】
【００１９】
請求項１の除湿機(１)は、再生用の複数の乾燥剤カートリッジ(５)(５)を、除湿機(１)の乾燥空気の排気口(12)近傍及び／又は排気通路(15)内に着脱可能にセットできるから、使用して湿気を含んだ乾燥剤カートリッジ(５)の乾燥剤(50)を短時間で乾燥させて再生できる。
【００２０】
請求項２の除湿機(１)は、デシカント式(「ゼオライト式」と同じ)であるから、コンプレッサー式除湿機に較べて、運転音が静かで、寒期でも除湿能力が低下しない。
【００２１】
請求項３の除湿機(１)は、風向調整のためのルーバ(４)に乾燥剤カートリッジ(５)を取付けできるから、ルーバ(４)の向きに関係なく、除湿機(１)から排出される乾燥空気を最短で且つ直接に乾燥剤カートリッジ(５)に当てて、乾燥剤カートリッジ(５)の乾燥剤(50)の乾燥効率を高めることができる。
【００２２】
請求項４の除湿機(１)は、横長枠体のルーバ(４)に、乾燥剤カートリッジ(５)を挟み込んで簡単に乾燥剤カートリッジ(５)のセットができる。
【００２３】
請求項５の除湿機(１)は、乾燥剤カートリッジ(５)をルーバ(４)に軟係止できるから、不用意に乾燥剤カートリッジ(５)がルーバ(４)から脱落することを防止できる。
【００２４】
請求項６の除湿機(１)は、排気口(12)の近傍に位置するハンドル(３)に乾燥剤カートリッジ(５)をセットできるから、即ち、排気口(12)よりも高い位置に乾燥剤カートリッジ(５)をセットできるから、乾燥剤カートリッジ(５)の形状の自由度が大きくなり、乾燥剤カートリッジ(５)を使用場所に適した形状に形成できる。
【００２５】
請求項７の除湿機(１)は、ハンドル(３)への乾燥剤カートリッジ(５)の取付け、取外しは、互いに形成した嵌込み凹部(33)と凸部(53)の係脱であり、保持手段(55)の構成が簡単であり、乾燥剤カートリッジ(５)の脱着をワンタッチで行なうことができる。
【００２６】
請求項８の除湿機(１)は、乾燥剤カートリッジ(５)をセット可能なハンドル(３)は起伏可能であるから、乾燥剤カートリッジ(５)の乾燥に使用しないときはハンドル(３)を倒しておくことができ、体裁がよい。
【００２７】
請求項９の除湿機(１)における乾燥剤カートリッジ(５)(５)は、連結手段(７)によって連結できるから、紛失し難く、又、連結したまま、大きな乾燥剤カートリッジとして使用できる。
【００２８】
請求項１０の除湿機(１)における乾燥剤カートリッジ(５)は、洋服ハンガーとして使用して、洋服の湿気を効率的に取ることができる。
【００２９】
請求項１１の除湿機(１)における乾燥剤カートリッジ(５)は、靴内に収容して、靴の湿気を効率的に除去できる。
乾燥剤カートリッジ(５)を靴の型崩れを防止できる大きさ、形状とすれば、シューズキーパを兼用できる。
【００３０】
請求項１２の除湿機(１)における乾燥剤カートリッジ(５)は、両端の補助部材(57)(57)を延ばして大きくできるから、上衣(８)を無理なく吊すことができる。
【００３１】
請求項１３の除湿機(１)における乾燥剤カートリッジ(５)は、吊下げ及び／又は連結用のフック(６)を畳むと、除湿機(１)へのセットの邪魔にならない。
【発明を実施するための最良の形態】
【００３２】
図１乃至図３は、本発明を実施したデシカント式の除湿器(１)を示している。
該除湿機(１)は、縦長ハウジング(11)の背面に吸気口(図示せず)、正面側上部に排気口(12)を設け、内部に除湿手段(２)であるデシカント式除湿装置(20)を具えている。
デシカント式除湿装置(20)は、前記吸気口から吸気して前記排気口(12)から排気するファン(21)と、該ファン(21)を回転させるファンモータ(21a)と、吸引空気から吸湿する円盤状のロータ(22)と、該ロータ(22)を回転させるモータ(26)と、前記ロータ(22)の一部に再生空気を循環させるように形成した循環経路(27)と、該循環経路(27)に再生空気を循環させる循環ファン(28)と、該循環ファン(28)を回転させるモータ(28a)と、前記循環経路(27)において前記ロータ(22)から水分を放出させるヒーター(23)と、該ローター(22)が放出した水分を含む再生空気を凝縮させる凝縮器(24)と、凝縮器(24)の下方に設けられ凝縮した水滴を貯めるタンク(25)と、前記吸気口から吸引された空気が前記ローター(22)と前記凝縮器(24)とに分流した後、ともに前記ファン(21)によって吸込まれてから以後に排気口(12)へ案内する排気通路(15)を有する。
【００３３】
本発明の特徴は、上記除湿機(１)の排気口(12)の近傍及び／又は排気通路(15)内に、再生用の複数の乾燥剤カートリッジ(５)を着脱可能にセットしたことである。
乾燥剤カートリッジ(５)は、タンスの抽斗内、下駄箱内、靴内等の小空間に入れておいて、該小空間の除湿を行なうものであり、除湿機(１)に取り入れた空気を除湿することを目的とするものではない。
【００３４】
乾燥剤カートリッジ(５)は、通気性のケース(51)内に、シリカゲル等の吸湿剤(乾燥剤)(50)を充填して形成されている。
ケース(51)は横長の扁平体に形成され、大きな窓孔(52)がケース長さ方向に狭い間隔を存して複数個開設されている。
ケース(51)は、後記する除湿機(１)の枠状ルーバ(４)に、横並びに２個嵌まる大きさに形成されている。
ケース(51)の長手方向に沿う一方の側縁の中央部に、摘みを兼用する凸部(53)が突設されている。凸部(53)はケース(51)の長手方向に長く先端縁は全長に亘って長手方向と直交する方向に先細に短く屈曲して爪部(53a)を形成している。
ケース(51)の両面には、凸部側の側縁寄りに後記するルーバ(４)と係脱する突起(51a)(51a)が突設されている。
ケース(51)は、幅厚みを１／２づつに２分する面で分割可能でありネジ止め等により、ケース半体どうしが結合している。前記凸部(53)の爪部(53a)を除いて、ケース半体は同一形状である。
吸湿剤は、通気性袋等に詰めてから、ケース(51)に充填されている。
【００３５】
図１、図４に示す如く、ハウジング(11)の天板(10)の中央部に、横長の範囲に操作スイッチ群(14)が設けられている。該操作スイッチ群(14)の前方に、ハウジング正面と天板(10)に跨って横長に切り欠いて排気口(12)が開口し、該排気口(12)の下方に前記排気通路(15)が位置している。
排気口(12)には該排気口(12)の開口幅一杯にルーバ(４)が揺動可能に取り付けられている。
【００３６】
ルーバ(４)は合成樹脂製であり、図１に示す如く、上枠板(41)と下枠板(42)と両端板(43)(43)とによって横長扁平の枠体に形成されている。図２、図３に示す如く、ルーバ(４)の両端は、支点(58)を中心に垂直面内で揺動可能にハウジング(11)に支持されており、図１に示す如く、ルーバ(４)を倒せば吹出口(44)が前方に向き、図２に示す如く、９０°起こすと、吹出口(44)ば真上を向く。
図３に示す如く、ルーバ(４)はモータ(47)に連繋されて、往復回動或いは任意の角度に調整可能である。
【００３７】
図２に示す如く、ルーバ(４)の上枠板(41)の前側先端縁は丸く内向に湾曲して掛り片(41a)を形成している。該掛り片(41a)は、前記乾燥剤カートリッジ(５)のケース(51)の突起(51a)に係脱可能である。掛り片(41a)と突起(51a)とによって、乾燥剤カートリッジ(５)をルーバ(４)に軟係止する軟係止手段(40)を構成する。
ルーバ(４)の下枠板(42)の後端は上枠板(41)側に略直角に屈曲してストッパ片(42a)を形成している。該ストッパ片(42a)は、乾燥剤カートリッジ(５)の挿入奥位置を規制する役割を成す。
ルーバ(４)の下枠板(42)の前端は、図１において上枠板(41)の前端より奥まった位置にある。
【００３８】
除湿機(１)の上端には、排気口(12)の後方にて排気口(12)に接近して支軸(30)を中心に起伏可能にハンドル(３)が設けられている。
ハンドル(３)は、前記ルーバ(４)と略同長さの横長の掴み部(31)の両端に脚部(32)(32)を突設して略コ字状に形成され、前記操作スイッチ群(14)を囲む様にして形成されたハンドル収納凹み部(10a)に、倒れ状態で収まる様に取り付けられている。
【００３９】
図２、図４に示す如く、倒れ状態のハンドル(３)の掴み部(31)の上向き面の中央部に、前記乾燥剤カートリッジ(５)の凸部(53)が嵌まる横長の嵌込み凹部(33)が形成されている。
上記嵌込み凹部(33)の奥端の長手方向に沿う隅部には、乾燥剤カートリッジ(５)の凸部(53)の先端の爪部(53a)に係脱する逃し溝孔(34)が開設されている。
上記ハンドル(３)の嵌込み凹部(33)は、壁面に弾性を付与するために、ハンドル(３)の中空掴み部(31)内にて二重壁構造で形成されている。
【００４０】
図３、図１５に示す如く、除湿機(１)上部の一端内部に、芳香体収容室(17)が形成され、除湿機(１)の天板(10)と同高さに該芳香体収容室(17)の蓋(18)が取り付けられている。
芳香体収容室(17)は、分岐通路(16)を介して前記排気通路(15)に繋がっており、芳香体収容室(17)と分岐通路(16)の境界には、通気機性の仕切り部材(19)が設けられている。
【００４１】
然して、除湿機(１)を室内の除湿のみに使用する際は、ルーバ(４)に乾燥剤カートリッジ(５)をセットせずに、除湿機(１)を運転する。
【００４２】
除湿機(１)を乾燥剤カートリッジ(５)の乾燥剤(50)の再生に使用するには、図１に示す如く、乾燥剤カートリッジ(５)を、凸部(53)を手前にしてルーバ(４)の吹出口(44)から挿入する。
乾燥剤カートリッジ(５)がルーバ(４)奥端のストッパ片(42a)に当たる手前で、乾燥剤カートリッジ(５)の突起(51a)がルーバ(４)の上枠板(41)の先端掛り片(41a)に当たるが、該上枠板(41)を弾性変形させて、乾燥剤カートリッジ(５)のそれ以上の挿入が可能である。上枠板(41)が突起(51a)を越えると、上枠板(41)が弾性復帰して、掛り片(41a)が突起(51a)に被さり、同時に乾燥剤カートリッジ(５)がストッパ片(42a)に当たる。これによって、乾燥剤カートリッジ(５)は、ルーバ(４)内に軟係止され、不用意にルーバ(４)から脱出することはない。
乾燥剤カートリッジ(５)のケース(51)には、上記突起(51a)が上下両面に形成されているから、乾燥剤カートリッジ(５)をルーバ(４)に挿入する際に、上下面を選ばない。
【００４３】
図２は、上向きルーバ(４)に２個の乾燥剤カートリッジ(５)(５)を横並びにセットした状態を示している。除湿機(１)の排気口(12)から排出される乾燥空気の一部は、ルーバ(４)内を通って室内へ流れる。乾燥空気がルーバ(４)を通過する際に、乾燥剤カートリッジ(５)内の乾燥剤(50)を短時間で乾燥させることができる。
ルーバ(４)内を通過しない乾燥空気は、排気口(12)から直接に室内へ流出する。
【００４４】
図５は、起こしたハンドル(３)の嵌込み凹部(33)にも乾燥剤カートリッジ(５)をセットした状態を示している。
乾燥剤カートリッジ(５)をハンドル(３)にセットするには、倒した状態のハンドル(３)の嵌込み凹部(33)に、乾燥剤カートリッジ(５)の凸部(53)を嵌め込む。このとき該凸部(53)先端の爪部(53a)が嵌込み凹部(33)の壁面を擦って該壁面を弾性変形させ気味に凸部(53)は嵌め込まれる。
凸部(53)が嵌込み凹部(33)に完全に嵌まった状態で、凸部(53)先端の爪部(53a)が嵌込み凹部(33)の逃し溝孔(34)に嵌まる。該爪部(53a)が孔縁に引っ掛かって、乾燥剤カートリッジ(５)が不用意にハンドル(３)から脱落することを防止する。
乾燥剤カートリッジ(５)を強く引っ張ると、凸部(53)と嵌込み凹部(33)の引っ掛かりが外れて、乾燥剤カートリッジ(５)を取り外すことができる。
【００４５】
図５に示す如く、乾燥剤カートリッジ(５)をセットしたハンドル(３)を起こすと、該乾燥剤カートリッジ(５)は排気口(12)の上方にて横向きとなり、排気口(12)からの上向きに吹き出す乾燥空気が該乾燥剤カートリッジ(５)に直接当たって、内部の乾燥剤(50)を効果的に乾燥させることができる。
図５では、ルーバ(４)に２個、ハンドル(３)に２個、計４個の乾燥剤カートリッジ(５)を、同時に乾燥させることができる。
【００４６】
図６は、乾燥剤カートリッジ(５)の取付け可能個数を増やしたルーバ(４)の他の実施例を示している。
起立状態のルーバ(４)に対して、ルーバ(４)の前後にも、ルーバ(４)と平行に乾燥剤カートリッジ(５)を取り付けできる様に、ルーバ(４)の上枠板(41)と下枠板(42)の上端に支え片(45)(46)を突設し、支え片(45)(46)の先端に爪部(45a)(46a)を上向きに突設している。
乾燥剤カートリッジ(５)(５)には、上記爪部(45a)(46a)が嵌まる係合溝(54)(54)が形成されている。後部の支え片(45)は、乾燥剤カートリッジ(５)を除湿機(１)の天板(10)と干渉しない様に高く支えるため、上方に長く延びている。
【００４７】
図７は、靴Ｓの内部に収容する乾燥剤カートリッジ(５)を示し、該乾燥剤カートリッジ(５)のケース(51)は、靴に似せて立体的に形成されており、シューズキーパを兼用できる。
上記ケース(51)の上端に前記除湿機(１)のハンドル(３)の嵌込み凹部(33)に嵌まる凸部(53)が先端の爪部(53a)を靴先の方向に向けて突設されている。
図８は、起立状態のハンドル(３)の嵌込み凹部(33)に、靴型の乾燥剤カートリッジ(５)の凸部(53)を嵌めてセットとした状態を示している。
ハンドル(３)を起こして、排気口(12)よりも高い位置に乾燥剤カートリッジ(５)をセットできるから、上記靴型等乾燥剤カートリッジ(５)の様に、乾燥剤カートリッジ(５)の形状の自由度を大きくできる。
又、起立状態のハンドル(３)を乾燥剤カートリッジ(５)の取り付けに用いることにより、ルーバ(４)に支持した乾燥剤カートリッジ(５)と干渉しない様に、複数の乾燥剤カートリッジ(５)(５)の乾燥を同時な行なうことができる。
【００４８】
図９は、図１に示す乾燥剤カートリッジ(５)と同様の乾燥剤カートリッジの凸部(53)にフック(６)を突設した実施例を示している。フック(６)を利用して乾燥剤カートリッジ(５)を洋服ダンス等に吊して使用できる。
【００４９】
図１０ａは、乾燥剤カートリッジ(５)の一端にフック(６)を内向きに折り畳み可能に取り付けた他の実施例を示しいる。乾燥剤カートリッジ(５)のケース(51)には、折り畳んだフック(６)を収容できる凹み部(56)(56)が形成されており、折り畳み状態(図10b)のフック(６)は、ケース(51)表面からはみ出さない。このため、前記の如く、乾燥剤カートリッジ(５)をルーバ(４)内に収容するのに、フック(６)が邪魔になることはない。
【００５０】
図１１ａは、乾燥剤カートリッジ(５)の両端に上記同様にしてフック(６)を折り畳み可能に突設した他の実施例を示している。該乾燥剤カートリッジ(５)には、乾燥剤カートリッジ(５)(５)どうしを連結するための連結手段(７)も設けられている。
連結手段(７)は、乾燥剤カートリッジ(５)の一端に２つの小突起(71)(71)を突設し、他端に該小突起(71)が係脱する穴(73)を有する大突起(72)(72)を突設して構成される。
図１１ｂに示す如く、一方の乾燥剤カートリッジ(５)の小突起(71)(71)を相手乾燥剤カートリッジ(５)の大突起(72)(72)に対向させて、小突起(71)(71)を大突起(72)(72)の穴(73)(73)に着脱可能に緊密に嵌めて、乾燥剤カートリッジ(５)(５)を連結できる。
図１１ｃに示す如く、乾燥剤カートリッジ(５)(５)を互いのフック(６)(６)を引っ掛けあって連結することもできる。即ち、フック(６)は、連結手段(７)の一種でもある。
【００５１】
図１２は、乾燥剤カートリッジ(５)を前記除湿機(１)のルーバ(４)の長さに対応して長く形成し、中央部にフック(６)を取り付けた他の実施例を示している。  上記乾燥剤カートリッジ(５)は、図１３に示す如く、上衣(８)を掛ける洋服ハンガーを兼用できる。
【００５２】
図１４ａは図１２の乾燥剤カートリッジ(５)において、乾燥剤カートリッジ(５)の両端に、ハンガー長さの不足分を補う補助部材(57)(57)を内側に折り畳み可能に突設した他の実施例を示し、図１４ｂは、補助部材(57)(57)を内側に畳んだ状態を示している。
図１４ｃは、補助部材(57)(57)を延ばした乾燥剤カートリッジ(５)に上衣(８)を掛けた状態を示している。
【００５３】
図１５は、除湿機(１)の芳香体収容室(17)に、芳香剤、石鹸等の芳香体Ｆを収容した状態を示している。
排気通路(15)を通る乾燥空気が分岐通路(16)、芳香体収容室(17)、通気性蓋(18)を経て室内へ排出されるとき、芳香体Ｆの香を室内に持ち込んで、室内を香りよくすることができる。
又、除湿機(１)の排気口(12)に洗濯物を吊しておけば、洗濯物を乾燥させながら、芳香により香りづけもできる。
【００５４】
図１６は、除湿機(１)の正面壁に、前記乾燥空気の排気通路(15)に侵入して通気性の乾燥剤カートリッジ収納ボックス(９)を回転して引出し可能に配備した、除湿機(１)の他の実施例を示している。該収納ボックス(９)に１又は複数の乾燥剤カートリッジ(５)を収容して、乾燥剤カートリッジ(５)内の乾燥剤(50)を再生させることができる。
上記の場合、ルーバ(４)を空にできるので、通常の除湿機(１)の運転を行ないながら、乾燥剤カートリッジ(５)の再生もできる。
【００５５】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【００５６】
例えば、ハンドル(３)に乾燥剤カートリッジ(５)を保持するための保持手段(55)は、乾燥剤カートリッジ(５)のケース(51)に嵌込み凹部、ハンドル(３)に該嵌込み凹部に着脱可能に嵌合する凸部を設けて構成することもできる。
【図面の簡単な説明】
【００５７】
【図１】除湿機と、セット前の乾燥剤カートリッジの斜視図である。
【図２】除湿機の縦断面図である。
【図３】除湿機を正面側から見た断面図である。
【図４】除湿機の平面図である。
【図５】ルーバとハンドルに乾燥剤カートリッジをセットした状態の断面図である。
【図６】ルーバの前後にも乾燥剤カートリッジをセットした状態の断面図である。
【図７】靴内に、靴型の乾燥剤カートリッジを収容した状態の断面図である。
【図８】ハンドルに靴型の乾燥剤カートリッジをセットした状態の断面図である。
【図９】フック付き乾燥剤カートリッジの正面図である。
【図１０】ａ図は、一端に折り畳み可能にフック突設した乾燥剤カートリッジの正面図、ｂ図はフックを畳んだ状態の正面図である。
【図１１】ａ図は、両端にフックを折り畳み可能に突設した乾燥剤カートリッジの正面図、ｂ図は２つの乾燥剤カートリッジの連結手段の説明図、ｃ図は２つの乾燥剤カートリッジを互いのフックで連結した状態を示している。
【図１２】ロング型の乾燥剤カートリッジの正面図である。
【図１３】乾燥剤カートリッジを洋服ハンガーとして使用する説明図である。
【図１４】ａ図は両端にハンガー長さを補う補助部材を突設した乾燥剤カートリッジの正面図、ｂ図はフック及び両端の補助部材を畳んだ状態の乾燥剤カートリッジの正面図、ｃ図は補助部材を延ばして洋服ハンガーとして使用する説明図である。
【図１５】芳香体収容室に芳香体Ｆを収容した状態の断面図である。
【図１６】排気通路内に乾燥剤カートリッジをセット出来る除湿機の一部を破断した側面図である。
【符号の説明】
【００５８】
１  除湿機
11  ハウジング
２  除湿手段
３  ハンドル
33  嵌込み凹部
４  ルーバ
41  上枠板
42  下枠板
５  乾燥剤カートリッジ
50  乾燥剤
51  ケース
53  凸部
【図１】
2009119312.tif 000003
【図２】
2009119312.tif 000004
【図３】
2009119312.tif 000005
【図４】
2009119312.tif 000006
【図５】
2009119312.tif 000007
【図６】
2009119312.tif 000008
【図７】
2009119312.tif 000009
【図８】
2009119312.tif 000010
【図９】
2009119312.tif 000011
【図１０】
2009119312.tif 000012
【図１１】
2009119312.tif 000013
【図１２】
2009119312.tif 000014
【図１３】
2009119312.tif 000015
【図１４】
2009119312.tif 000016
【図１５】
2009119312.tif 000017
【図１６】
2009119312.tif 000018